(57)【要約】本開示はネットワーク制御端末に用いられる電子装置及び方法、並びにネットワークノードに用いられる電子装置及び方法を提供している。ネットワーク制御端末に用いられる電子装置及び方法は、隣接するネットワーク制御端末からの第１の指示情報に基づいて、当該ネットワーク制御端末によってサービスされるネットワークノードによって参照信号受信電力ＲＳＲＰが測定されるチャネル状態情報参照信号ＣＳＩ  ＲＳポートを確定し、第１の指示情報は、対応する隣接するネットワーク制御端末によって使用されるＣＳＩ  ＲＳポートの干渉状態を指示し、及び、ネットワークノードからの測定結果に基づいて、ネットワークノードと干渉する隣接するネットワーク制御端末及びそのＣＳＩ  ＲＳポートを確定するように配置される処理回路を含む。【選択図】図２
2020501388.tif 000002
【特許請求の範囲】
【請求項１】
ネットワーク制御端末に用いられる電子装置であって、
隣接するネットワーク制御端末からの第１の指示情報に基づいて、当該ネットワーク制御端末によってサービスされるネットワークノードによって参照信号受信電力ＲＳＲＰが測定されるチャネル状態情報参照信号ＣＳＩ  ＲＳポートを確定し、前記第１の指示情報は、対応する隣接するネットワーク制御端末によって使用されるＣＳＩ  ＲＳポートの干渉状態を指示し、
前記ネットワークノードからの測定結果に基づいて、前記ネットワークノードと干渉する隣接するネットワーク制御端末及びそのＣＳＩ  ＲＳポートを確定する、
ように配置される処理回路を含む電子装置。
【請求項２】
前記処理回路はさらに、前記ネットワークノードと干渉する前記ＣＳＩ  ＲＳポートを指示するように、前記ネットワークノードと干渉する隣接するネットワーク制御端末に対する干渉指示情報を生成するように配置される請求項１に記載の電子装置。
【請求項３】
前記第１の指示情報は、前記隣接するネットワーク制御端末によって使用されるＣＳＩ  ＲＳポートのうち、対応するＲＳＲＰが第１の所定の閾値よりも低いＣＳＩ  ＲＳポートの情報を指示し、且つ、前記処理回路は、ＲＳＲＰが第１の所定の閾値よりも低い前記ＣＳＩ  ＲＳポートを前記ネットワークノードによって測定されるＣＳＩ  ＲＳポートとして確定するように配置される、請求項１に記載の電子装置。
【請求項４】
前記第１の所定の閾値は前記隣接するネットワーク制御端末の送信パワーに応じて設置される請求項３に記載の電子装置。
【請求項５】
前記第１の指示情報には、ＲＳＲＰが第１の所定の閾値よりも低い前記ＣＳＩ  ＲＳポートとビームとの対応関係の情報がさらに含まれる、請求項３に記載の電子装置。
【請求項６】
前記測定結果には、測定されるＲＳＲＰが第２の所定の閾値よりも高いＣＳＩ  ＲＳポートの少なくとも一部のポート番号の情報が含まれる、請求項１に記載の電子装置。
【請求項７】
前記処理回路はさらに、前記干渉指示情報を生成した後の第１の所定時間内に隣接するネットワーク制御端末からの第１の指示情報が受信されない場合、前記干渉指示情報を、任意のＣＳＩ  ＲＳポートが含まれない形態に変更して、前記隣接するネットワーク制御端末に指示するように配置される請求項２に記載の電子装置。
【請求項８】
前記隣接するネットワーク制御端末から前記第１の指示情報を受信し、及び、前記干渉指示情報を前記隣接するネットワーク制御端末に送信するように配置されるトランシーバをさらに含む、請求項２に記載の電子装置。
【請求項９】
前記トランシーバは、Ｘ２インターフェースを介して前記第１の指示情報を受信するように配置される請求項８に記載の電子装置。
【請求項１０】
ネットワーク制御端末に用いられる電子装置であって、
当該ネットワーク制御端末によってサービスされるネットワークノードから、前記ネットワークノードによる当該ネットワーク制御端末に使用されるＣＳＩ  ＲＳポートに対するＲＳＲＰの測定結果を取得し、
前記測定結果に基づいて、当該ネットワーク制御端末によって使用されるＣＳＩ  ＲＳポートの干渉状態を指示する第１の指示情報を生成する、
ように配置される処理回路を含む電子装置。
【請求項１１】
前記処理回路は、所定数以上のネットワークノードの測定結果が一致している場合、前記第１の指示情報を生成するように配置される請求項１０に記載の電子装置。
【請求項１２】
前記ネットワークノードから前記測定結果を受信し、及び、前記第１の指示情報を隣接するネットワーク制御端末に送信するように配置されるトランシーバをさらに含む請求項１０に記載の電子装置。
【請求項１３】
前記トランシーバはさらに、前記隣接するネットワーク制御端末から干渉指示情報を受信するように配置され、前記干渉指示情報は、当該ネットワーク制御端末のＣＳＩ  ＲＳポートのうち、前記隣接するネットワーク制御端末によってサービスされるネットワークノードと干渉するＣＳＩ  ＲＳポートを指示し、
前記処理回路はさらに、前記干渉指示情報に基づいて、前記隣接するネットワーク制御端末によってサービスされるネットワークノードと干渉する干渉ビームを確定するように配置される請求項１２に記載の電子装置。
【請求項１４】
前記処理回路はさらに、確定された前記干渉ビームをビームフォーミングＣＳＩ  ＲＳから非プリコードＣＳＩ  ＲＳに切り替えるか、又は、前記隣接するネットワーク制御端末と共に前記干渉ビームを時分割多重するように配置される請求項１３に記載の電子装置。
【請求項１５】
前記処理回路はさらに、第２の所定時間内に同じ干渉ビームについての所定数以上の干渉指示情報が受信された場合に、切り替え処理又は時分割多重処理を実行するように配置される請求項１４に記載の電子装置。
【請求項１６】
前記処理回路はさらに、隣接するネットワーク制御端末からの、任意のＣＳＩ  ＲＳポートが含まれない干渉指示情報に応答して、前記干渉ビームを非プリコードＣＳＩ  ＲＳからビームフォーミングＣＳＩ  ＲＳに切り替えるか、又は、前記干渉ビームを時分割多重することを停止するように配置される請求項１４に記載の電子装置。
【請求項１７】
ネットワークノードに用いられる電子装置であって、
前記ネットワークノードのサービス品質を評価し、
前記サービス品質が所定のレベルよりも低い場合に、前記ネットワークノードによって使用されるＣＳＩ  ＲＳポートのＲＳＲＰを測定し、
前記測定した結果に基づいて、前記ＣＳＩ  ＲＳポートの干渉状態を指示する情報を生成する、ように配置される処理回路を含む電子装置。
【請求項１８】
前記情報には、測定されたＲＳＲＰが第１の所定の閾値よりも小さいＣＳＩ  ＲＳポートの情報が含まれる、請求項１７に記載の電子装置。
【請求項１９】
前記情報はビットシーケンスの形態を有し、測定されたＲＳＲＰが第１の所定の閾値よりも小さいＣＳＩ  ＲＳポートに対応するビットは０であり、残りのＣＳＩ  ＲＳポートに対応するビットは１である、請求項１８に記載の電子装置。
【請求項２０】
前記処理回路はさらに、ネットワーク制御端末が隣接するネットワーク制御端末からの第１の指示情報に基づいて確定した測定されるＣＳＩ  ＲＳポートのＲＳＲＰを測定し、測定した結果を前記ネットワーク制御端末にレポートするように配置され、前記第１の指示情報は、対応する隣接するネットワーク制御端末によって使用されるＣＳＩ  ＲＳポートの干渉状態を指示する、請求項１７に記載の電子装置。
【請求項２１】
前記処理回路は、測定されるＲＳＲＰが第２の所定の閾値よりも大きいＣＳＩ  ＲＳポートの少なくとも一部のポート番号の情報を前記ネットワーク制御端末にレポートするように配置される、請求項２０に記載の電子装置。
【請求項２２】
生成された前記ＣＳＩ  ＲＳポートの干渉状態を指示する情報をネットワーク制御端末に送信するように配置されるトランシーバをさらに含む請求項１７に記載の電子装置。
【請求項２３】
ネットワーク制御端末に用いられる方法であって、
隣接するネットワーク制御端末からの第１の指示情報に基づいて、当該ネットワーク制御端末によってサービスされるネットワークノードによって参照信号受信電力ＲＳＲＰが測定されるチャネル状態情報参照信号ＣＳＩ  ＲＳポートを確定し、前記第１の指示情報は対応する隣接するネットワーク制御端末によって使用されるＣＳＩ  ＲＳポートの干渉状態を指示することと、
前記ネットワークノードからの測定結果に基づいて、前記ネットワークノードと干渉する隣接するネットワーク制御端末及びそのＣＳＩ  ＲＳポートを判断することと、を含む方法。
【請求項２４】
ネットワーク制御端末に用いられる方法であって、
当該ネットワーク制御端末によってサービスされるネットワークノードから、前記ネットワークノードの当該ネットワーク制御端末によって使用されるＣＳＩ  ＲＳポートに対するＲＳＲＰの測定結果を取得することと、
前記測定結果に基づいて、当該ネットワーク制御端末によって使用されるＣＳＩ  ＲＳポートの干渉状態を指示する第１の指示情報を生成することと、を含む方法。
【請求項２５】
ネットワークノードに用いられる方法であって、
前記ネットワークノードのサービス品質を評価することと、
前記サービス品質が所定のレベルよりも低い場合に、前記ネットワークノードによって使用されるＣＳＩ  ＲＳポートのＲＳＲＰを測定することと、
前記測定した結果に基づいて、前記ＣＳＩ  ＲＳポートの干渉状態を指示する情報を生成することと、を含む方法。
【発明の詳細な説明】
【技術分野】
【０００１】
本出願は、２０１６年１１月２４日に中国特許庁に提出された、出願番号が２０１６１１０５２９５８.０であって、発明の名称が「ネットワーク制御端末及びネットワークノードに用いられる電子装置及び方法」である中国特許出願の優先権を主張するものであり、その全内容を本出願に参照により援用する。
【０００２】
本発明の実施例は、一般的に、無線通信の分野に関し、具体的には、無線通信における干渉処理に関し、より具体的には、ネットワーク制御端末及びネットワークノードに用いられる電子装置及び方法に関する。
【背景技術】
【０００３】
３Ｄ-ＭＩＭＯ（Ｍｕｌｔｉｐｌｅ  Ｉｎ  Ｍｕｌｔｉｐｌｅ  Ｏｕｔ、多入力多出力）の実際のシーンでは、垂直方向のチャネルを利用することができ、基地局は垂直方向のビームフォーミング（ｂｅａｍ-ｆｏｒｍｉｎｇ）をサポートする。これにより、高層ビルに分散しているユーザーのサービス品質（Ｑｕａｌｉｔｙ  ｏｆ  Ｓｅｒｖｉｃｅ、ＱｏＳ）を向上させることができる。伝統的な水平方向のビームフォーミングのダウンチルト角は固定される。従って、隣接セルのエッジユーザーをカバーし、セル間の干渉を引き起こす可能性がある。垂直方向のビームフォーミングの場合、高層ビル内のユーザーにサービスする垂直ビームは、そのダウンチルト角が大きいため、隣接セルのエッジユーザーに大きな影響を与える可能性がある。
【発明の概要】
【発明が解決しようとする課題】
【０００４】
図１は、そのような干渉が生じる例示的なシーンの図を示す。図１に示すように、ビームフォーミングチャネル状態情報参照信号（Ｃｈａｎｎｅｌ  Ｓｔａｔｕｓ  Ｉｎｆｏｒｍａｔｉｏｎ  Ｒｅｆｅｒｅｎｃｅ  Ｓｉｇｎａｌ、ＣＳＩ  ＲＳ）がＫ＞１  Ｃｌａｓｓ  Ｂである場合、基地局２（ＢＳ２）は、異なる垂直方向のビーム方向を含む異なるビーム方向をそれぞれ指すＫ個のＣＳＩ  ＲＳを配置する。しかし、ある方向のビームは、隣接セルのあるユーザーをカバーする可能性があり、この場合、当該ビームは、隣接セルに対して比較的強い干渉を有すると考えられる。例えば、図１に示すように、高層ビル内のユーザー装置２（ＵＥ２）にサービスするビームは、隣接セルのＵＥ１に対して干渉を引き起こす、即ち、水平方向に近づくビームは、厳しいセル間干渉を引き起こす可能性がある。なお、ＵＥ３にサービスするビームは、隣接セルのＵＥ１に対しても強い干渉を引き起こす可能性がある。
【課題を解決するための手段】
【０００５】
本発明に関するある態様の基本的理解を提供するように、本発明に関する簡単な概説を以下に示す。この概説が本発明に関する網羅的な概説ではないと理解すべきである。それは、本発明の肝心又は重要部分を確定することを意図するものではなく、本発明の範囲を限定することを意図するものでもない。その目的は、後述するより詳細な説明の前置きとして、簡略化された形でいくつかの概念を提示することである。
【０００６】
本出願の一態様によれば、ネットワーク制御端末に用いられる電子装置及び方法を提供し、隣接するネットワーク制御端末からの第１の指示情報に基づいて、当該ネットワーク制御端末によってサービスされるネットワークノードによってその参照信号受信電力ＲＳＲＰが測定されるチャネル状態情報参照信号ＣＳＩ  ＲＳポートを確定し、第１の指示情報は対応する隣接するネットワーク制御端末によって使用されるＣＳＩ  ＲＳポートの干渉状態を指示し、及び、ネットワークノードからの測定結果に基づいて、ネットワークノードと干渉する隣接するネットワーク制御端末及びそのＣＳＩ  ＲＳポートを確定するように配置される処理回路を含む。
【０００７】
本出願の他の態様によれば、ネットワーク制御端末に用いられる電子装置を提供し、当該ネットワーク制御端末によってサービスされるネットワークノードから、ネットワークノードの当該ネットワーク制御端末によって使用されるＣＳＩ  ＲＳポートに対するＲＳＲＰの測定結果を取得し、測定結果に基づいて、当該ネットワーク制御端末によって使用されるＣＳＩ  ＲＳポートの干渉状態を指示する第１の指示情報を生成するように配置される処理回路を含む。
【０００８】
本出願の別の態様によれば、ネットワークノードに用いられる電子装置を提供し、ネットワークノードのサービス品質を評価し、サービス品質が所定のレベルよりも低い場合、ネットワークノードによって使用されるＣＳＩ  ＲＳポートのＲＳＲＰを測定し、測定した結果に基づいて、ＣＳＩ  ＲＳポートの干渉状態を指示する情報を生成するように配置される処理回路を含む。
【０００９】
本出願の別の態様によれば、ネットワーク制御端末に用いられる方法を提供し、隣接するネットワーク制御端末からの第１の指示情報に基づいて、当該ネットワーク制御端末によってサービスされるネットワークノードによってその参照信号受信電力ＲＳＲＰが測定されるチャネル状態情報参照信号ＣＳＩ  ＲＳポートを確定し、第１の指示情報は対応する隣接するネットワーク制御端末によって使用されるＣＳＩ  ＲＳポートの干渉状態を指示することと、ネットワークノードからの測定結果に基づいて、ネットワークノードと干渉する隣接するネットワーク制御端末及びそのＣＳＩ  ＲＳポートを生成することとを含む。
【００１０】
本出願の別の態様によれば、ネットワーク制御端末に用いられる方法を提供し、当該ネットワーク制御端末によってサービスされるネットワークノードから、ネットワークノードの当該ネットワーク制御端末によって使用されるＣＳＩ  ＲＳポートに対するＲＳＲＰの測定結果を取得することと、測定結果に基づいて、当該ネットワーク制御端末によって使用されるＣＳＩ  ＲＳポートの干渉状態を指示する第１の指示情報を生成することとを含む。
【００１１】
本出願の別の態様によれば、ネットワークノードに用いられる方法を提供し、ネットワークノードのサービス品質を評価することと、サービス品質が所定のレベルよりも低い場合、ネットワークノードによって使用されるＣＳＩ  ＲＳポートのＲＳＲＰを測定することと、測定した結果に基づいてＣＳＩ  ＲＳポートの干渉状態を指示する情報を生成することとを含む。
【００１２】
本発明の他の態様によれば、電子装置の方法に用いられるコンピュータプログラムコードと、コンピュータプログラム製品と、当該これらの方法を実現するためのコンピュータプログラムコードが記録されたコンピュータ可読記憶媒体をさらに提供する。
【００１３】
本出願の実施例による電子装置及び方法は、ＣＳＩ  ＲＳポートのＲＳＲＰの測定によって、隣接するネットワーク制御端末のサービスエリアの間の干渉が顕著に発生するかどうかを判断して、干渉を発生させるビームを確定することで、そのような干渉の影響を効果的に低減するために、対応する対策を取ることができる。
【００１４】
本発明の上記及びその他の利点は、添付の図面を参照して本発明の好ましい実施例の以下の詳細な説明からより明らかになる。
【図面の簡単な説明】
【００１５】
本発明の上記及びその他の利点及び特徴についてさらに記述するために、以下、本発明の具体的な実施形態について添付の図面を参照してさらに詳細に説明する。前記添付の図面は、以下の詳細な説明と共に本明細書に組み込まれ、本明細書の一部を形成する。同じ機能及び構造を有する構成要素は同じ参照符号によって示されている。これらの図面が本発明の典型的な例のみを示しており、本発明の範囲を限定するものとみなされるべきではないことは理解すべきである。図面において、
【００１６】
【図１】垂直方向のビームフォーミングがセル間干渉を引き起こす例示的なシーンを示す図である。
【図２】本出願の一実施例によるネットワーク制御端末に用いられる電子装置を示す機能ブロック図である。
【図３】本出願の一実施例によるネットワーク制御端末に用いられる電子装置を示す機能ブロック図である。
【図４】本出願の一実施例によるネットワーク制御端末に用いられる電子装置を示す機能ブロック図である。
【図５】本出願の別の実施例によるネットワーク制御端末に用いられる電子装置を示す機能ブロック図である。
【図６】本出願の別の実施例によるネットワーク制御端末に用いられる電子装置を示す機能ブロック図である。
【図７】本出願の一実施例によるネットワークノードに用いられる電子装置を示す機能ブロック図である。
【図８】本出願の技術が適用されるネットワーク制御端末とネットワークノードとの間の関連情報フローの一例を示す図である。
【図９】本出願の一実施例によるネットワーク制御端末に用いられる方法を示すフローチャートである。
【図１０】本出願の別の実施例によるネットワーク制御端末に用いられる方法を示すフローチャートである。
【図１１】本出願の一実施例によるネットワークノードに用いられる方法を示すフローチャートである。
【図１２】本開示の技術を適用できるｅＮＢの概略構成の第１の例を示すブロック図である。
【図１３】本開示の技術を適用できるｅＮＢの概略構成の第２の例を示すブロック図である。
【図１４】本開示の技術を適用できるスマートフォンの概略構成の例を示すブロック図である。
【図１５】本開示の技術を適用できるカーナビゲーションの概略構成の例を示すブロック図である。
【図１６】本発明の実施例による方法及び／又は装置及び／又はシステムを実現できる汎用コンピューターの例示的な構成を示すブロック図である。
【発明を実施するための形態】
【００１７】
以下、本発明の例示的な実施例について添付図面を参照して説明する。明確化と簡潔さのために、実際の実施形態の全ての特徴が明細書に記述されているわけではない。しかしながら、こういう実際の実施例の開発において多くの実施形態特有の決定が行われなければならなく、開発者の具体的な目標を達成し、例えば、システムや業務に関連する制約条件を満たし、これらの制約条件は実施形態に応じて変更される可能性があることと理解すべきである。加えて、開発作業は非常に複雑で時間がかかるが、そのような開発作業は本開示の利益を有する当業者にとって日常的なものであることも理解されるべきである。
【００１８】
ここで、不必要な詳細によって本発明を不明瞭にすることを避けるために、本発明による方案に密接に関連する装置構造及び／又は処理ステップのみが図面に示され、本発明とはほとんど関係のない他の詳細は省略されることにも注意されたい。
【００１９】
＜第１の実施例＞
【００２０】
上記のように、垂直方向のビームフォーミングの適用によって、セル間の強い干渉を引き起こすことがあり、なお、他の場合では、セル間に大きな干渉が存在し得る。より一般的には、セルの概念がない場合でも、ビームフォーミングなどの要因によってネットワーク制御端末のサービスエリア間に干渉が生じる可能性があり、例えば、あるネットワーク制御端末によって使用されるビームは、隣接するネットワーク制御端末のあるネットワークノードを覆うか又は部分的に覆い、それによって当該ネットワークノードに厳しい干渉を引き起こす。そのため、干渉状況が存在するかどうかの判断と干渉ビームの確定は通信品質と效率の向上に重要である。
【００２１】
その中、ネットワーク制御端末とは、通信活動に関する設置、制御、通信リソース割り当てなどの機能を実現するための通信システムにおけるエンティティであり、例えば、セルラー通信システムにおける基地局、Ｃ−ＲＡＮ（Ｃｌｏｕｄ−ＲＡＮ／Ｃｅｎｔｒａｌｉｚｅｄ−ＲＡＮ）構造（セルの概念が存在しない場合がある）のベースバンドクラウドデバイスであり、例えば、Ｃ−ＲＡＮアーキテクチャでの互いに高速で接続されるＢＢＵプールのうちいずれかのＢＢＵ等であってもよい。ネットワークノードとは、通信リソースを使用してその通信目的を実現する通信システムにおけるエンティティであり、例えば、様々なユーザー装置（例えば、セルラー通信能力を有するモバイル端末、インテリジェント車両、インテリジェント車両、スマートウェアラブル装置等）又は小セル基地局などのネットワークインフラであってもよい。
【００２２】
図２は、本出願の一実施例によるネットワーク制御端末に用いられる電子装置１００の機能ブロック図を示す、図２に示すように、当該電子装置１００は、隣接するネットワーク制御端末からの第１の指示情報に基づいて、当該ネットワーク制御端末によってサービスされるネットワークノードによってその参照信号受信電力（Ｒｅｆｅｒｅｎｃｅ  Ｓｉｇｎａｌ  Ｒｅｃｅｉｖｉｎｇ  Ｐｏｗｅｒ、ＲＳＲＰ）が測定されるＣＳＩ  ＲＳポートを確定するように配置され、第１の指示情報が、対応する隣接するネットワーク制御端末によって使用されるＣＳＩ  ＲＳポートの干渉状態を指示する第１の確定ユニット１０１と、ネットワークノードからの測定結果に基づいて、ネットワークノードと干渉する隣接するネットワーク制御端末及びそのＣＳＩ  ＲＳポートを生成する第２の確定ユニット１０２とを含む。
【００２３】
例えば、図１のシーンと併せて考慮すると、当該電子装置１００は、基地局に位置するか、又は基地局に通信可能に接続されることができ、ネットワークノードはユーザー装置ＵＥであってもよい。なお、本明細書では、理解を容易にするために、図１のシーンに関連して説明することがあるが、当業者であれば、本出願の実施例の適用シーンはこれに限定されず、任意の隣接するネットワーク制御端末のサービスエリア間に干渉が存在する場合に適用可能であることを理解すべきである。
【００２４】
その中、第１の確定ユニット１０１と第２の確定ユニット１０２は例えば、チップとして実施することができる１つ以上の処理回路によって実現することができる。
【００２５】
ネットワークノードは、ＣＳＩ  ＲＳポートのＲＳＲＰを測定することによって、対応するＣＳＩ  ＲＳポートの受信電力レベルを知ることができる。例えば、当該ネットワークノード（及び当該ネットワーク制御端末）によって使用されるＣＳＩ  ＲＳポートについて、その送信電力が０ではなく、これらのポートはＮＺＰ（ｎｏｎ-ｚｅｒｏ  ｐｏｗｅｒ）  ＣＳＩ  ＲＳポートであり、通常の場合に、そのようなＣＳＩ  ＲＳポートのＲＳＲＰはより高くなければならない。逆に、当該ネットワークノード（及び当該ネットワーク制御端末）によって使用されていないＣＳＩ  ＲＳポートについて、その送信電力は０であり、これらのポートはＺＰ（ｚｅｒｏ  ｐｏｗｅｒ）  ＣＳＩ  ＲＳポートであり、通常の場合に、そのようなＣＳＩ  ＲＳポートのＲＳＲＰは低くなければならない。
【００２６】
本実施例では、ネットワーク制御端末によってサービスされるネットワークノードは、全てのＣＳＩ  ＲＳポートのＲＳＲＰを測定する必要がなく、特定のＣＳＩ  ＲＳポートのＲＳＲＰのみを測定する。その中、測定されるＣＳＩ  ＲＳポートは、隣接するネットワーク制御端末から受信した第１の指示情報に基づいて第１の確定ユニット１０１によって確定されるものである。当該第１の指示情報は、対応する隣接するネットワーク制御端末によって使用されるＣＳＩ  ＲＳポートの干渉状態を指示し、例えば、隣接するネットワーク制御端末のネットワークノードによって、ＮＺＰ  ＣＳＩ  ＲＳポートのＲＳＲＰを測定することによって得られたものである。当該第１の指示情報は例えば、隣接するネットワーク制御端末によって使用されるＣＳＩ  ＲＳポートのうち当該ネットワーク制御端末のネットワークノードと干渉する可能性があるＣＳＩ  ＲＳポートを指示するためのものである。
【００２７】
一例では、第１の指示情報は、隣接するネットワーク制御端末によって使用されるＣＳＩ  ＲＳポートのうち対応するＲＳＲＰが第１の所定の閾値よりも小さいＣＳＩ  ＲＳポートの情報を指示し、且つ、第１の確定ユニット１０１は、ＲＳＲＰが第１の所定の閾値よりも低いＣＳＩ  ＲＳポートをネットワークノードによって測定されるＣＳＩ  ＲＳポートとして確定するように配置される。
【００２８】
上記のように、隣接するネットワーク制御端末によって使用されるＣＳＩ  ＲＳポートは、当該隣接するネットワーク制御端末に対して、ＮＺＰ  ＣＳＩ  ＲＳであり、測定されるあるＮＺＰ  ＣＳＩ  ＲＳポートのＲＳＲＰが低すぎると、当該ＣＳＩ  ＲＳポートに対応する的ビームの電力の一部が、他のネットワーク制御端末（例えば、電子装置１００に対応する当該ネットワーク制御端末）によってサービスされるネットワークノードによって受信され得ることを意味し、即ち、当該ＣＳＩ  ＲＳポートに対応するビームは、他のネットワーク制御端末のネットワークノードと干渉する可能性がある。そのため、このようなＣＳＩ  ＲＳポートの情報は第１の指示情報に含まれ、他のネットワーク制御端末（例えば、電子装置１００に対応する当該ネットワーク制御端末）に提供される。
【００２９】
その中、ＮＺＰ  ＣＳＩ  ＲＳポートのＲＳＲＰが低すぎるかどうかは、第１の所定の閾値によって測定することができる。当該第１の所定の閾値は例えば、上記隣接するネットワーク制御端末の送信電力に応じて設置されてもよい。
【００３０】
また、第１の指示情報は、ＲＳＲＰが第１の所定の閾値よりも低いＣＳＩ  ＲＳポートとビームとの対応関係の情報をさらに含んでもよく、当該情報は例えば、干渉を発生させるビームを確定するためのものである。
【００３１】
図３に示すように、電子装置１００は、隣接するネットワーク制御端末から第１の指示情報を受信するように配置されるトランシーバユニット１０３をさらに含んでもよい。例示的に、トランシーバユニット１０３は、Ｘ２インタフェースを介して第１の指示情報を受信するように配置されてもよい。その中、トランシーバユニット１０３は例えば、通信インタフェースとして実現することができる。
【００３２】
さらに、第１の指示情報を受信したネットワーク制御端末は、第１の指示情報に含まれたＣＳＩ  ＲＳポートのＲＳＲＰを測定することを、それによってサービスされるネットワークノードに指示する。当該ネットワーク制御端末について、これらのＣＳＩ  ＲＳポート、即ち、ＺＰ  ＣＳＩ  ＲＳポートは使用されていない。そのため、測定されたＲＳＲＰが高い場合、他のネットワーク制御端末のビームからの干渉の影響を受けたことを意味する。このように、第２の確定ユニット１０２は、上記ＣＳＩ  ＲＳポートのＲＳＲＰを測定することによって、当該ネットワークノードが隣接するネットワーク制御端末によって干渉されるかどうかを判断し、どのＣＳＩ  ＲＳポートが干渉を生成するかを確定する。また、ネットワーク制御端末の間は、それぞれのＣＳＩ  ＲＳ配置情報を交換することができ、例えば、ネットワーク制御端末は、第１の指示情報の受信から隣接するネットワーク制御端末と使用されるＣＳＩ  ＲＳポートのうち測定待ちのＣＳＩ  ＲＳポートの情報を取得することができる。そのため、ネットワーク制御端末は、隣接するネットワーク制御端末と測定待ちのＣＳＩ  ＲＳポートとの対応関係をよく知っているので、干渉を発生させるＣＳＩ  ＲＳポートに基づいて、これらのポートがどの隣接するネットワーク制御端末に属するかを確定することができる。
【００３３】
一例では、ネットワークノードの測定結果は、測定されるＲＳＲＰが第２の所定の閾値よりも高いＣＳＩ  ＲＳポートの少なくとも一部のポート番号の情報を含むことができる。第２の所定の閾値は、ネットワーク制御端末の送信電力に基づいて設置されてもよい。上記のように、測定されるＲＳＲＰが第２の所定の閾値よりも高い場合、それに対応するＣＳＩ  ＲＳポートが隣接するネットワーク制御端末の干渉を受けたことを意味する。ＲＳＲＰが第２の所定の閾値よりも高いＣＳＩ  ＲＳポートが複数存在する場合、ネットワークノードは、いくつかのＣＳＩ  ＲＳポートのポート番号のみをネットワーク制御端末に送信することができ、例えば、ＲＳＲＰが最大のＣＳＩ  ＲＳポートのポート番号のみを送信することができる。
【００３４】
当該ポート番号は例えば信号Ｍによって表わされ、即ち、Ｍは対応するポート番号であってもよい。例えば、現在のプロトコルでは、ＣＳＩ  ＲＳポートは１５から２２であり、各ポートはいずれも１つの対応するポート番号を有し、ポート１５のポート番号は１であり、ポート１６のポート番号は２であり、これにより類推する。
【００３５】
各ネットワーク制御端末に最大でＲ個のＣＳＩ  ＲＳポートが配置されると仮定すると、信号Ｍは、干渉を引き起こすＣＳＩ  ＲＳポートを指示するための
【数１】
2020501388.tif 000003
ビットの情報要素を含むことができる。Ｒが１６である場合、Ｍは、４ビットの情報要素を含むことができる。
【００３６】
第２の確定ユニット１０２は信号Ｍを解析して、干渉を発生させるＣＳＩ  ＲＳポートの情報を取得し、隣接するネットワーク制御端末とＣＳＩ  ＲＳポートとの対応関係によって干渉を発生させる隣接するネットワーク制御端末を確定してもよい。
【００３７】
又は、信号Ｍは、干渉を引き起こすネットワーク制御端末と干渉を発生させる当該ネットワーク制御端末のＣＳＩ  ＲＳポートをそれぞれ指示するための２つの部分を含んでもよい。Ｎ個の隣接するネットワーク制御端末があり、各ネットワーク制御端末に最大でＲ個のＣＳＩ  ＲＳポートが配置されると仮定すると、信号Ｍは、干渉を引き起こすネットワーク制御端末を指示するための
【数２】
2020501388.tif 000004
ビットと干渉を引き起こすＣＳＩ  ＲＳポーを指示するための
【数３】
2020501388.tif 000005
ビットの情報要素を含んでもよい。Ｎが６であり、Ｒが１６である場合、Ｍは７ビットの情報を含んでもよく、そのうち、３ビットは干渉を引き起こすネットワーク制御端末を指示するのに用いられ、４ビットは干渉を引き起こすＣＳＩ  ＲＳポートを指示するのに用いられる。
【００３８】
この場合、第２の確定ユニット１０２は信号Ｍを解析して、干渉を発生させる隣接するネットワーク制御端末及びそのＣＳＩ  ＲＳポートの情報を確定することができる。
【００３９】
また、第２の確定ユニット１０２は、第１の指示情報におけるポートとビームとの対応関係の情報に基づいて、干渉を発生させるＣＳＩ  ＲＳポートに対応する干渉ビームを確定してもよい。例えば、ビームｂによって使用されるポートはそれぞれ１５、１６、１７、１８であると仮定すると、ポート１５が干渉を発生させるＣＳＩ  ＲＳポートである場合に、ビームｂによって使用されるのはポート１５であるため、ビームｂが干渉ビームであるとみなされる。
【００４０】
また、図４に示すように、電子装置１００は、ネットワークノードと干渉するＣＳＩ  ＲＳポートを指示するための、ネットワークノードと干渉する隣接するネットワーク制御端末に対する干渉指示情報を生成するトランシーバユニット１０４をさらに含んでもよい。
【００４１】
図４に示されていないが、電子装置は、図３に示すトランシーバユニット１０３をさらに含んでもよい。相応的に、トランシーバユニット１０３は、干渉指示情報を隣接するネットワーク制御端末に送信するように配置されてもよい。その中、生成ユニット１０４は例えば、例えば、チップとして実施することができる１つ以上の処理回路によって実現することができる。
【００４２】
一例では、生成ユニット１０４は、上述したように、第２の確定ユニット１０２による信号Ｍの解析結果解析に基づいて干渉指示情報を生成することができる。
【００４３】
言い換えれば、干渉指示情報は、干渉を引き起こすＣＳＩ  ＲＳポート番号を含む。例えば、干渉指示情報は信号Ｃによって表わされてもよく、信号ＭにＣＳＩ  ＲＳポート番号のみが含まれる場合、信号Ｃは信号Ｍと同じであり、信号Ｍに干渉を発生させる隣接するネットワーク制御端末の指示ビットがさらに含まれる場合、信号Ｃは例えば、信号Ｍの後の
【数４】
2020501388.tif 000006
ビットである。
【００４４】
一方、隣接するネットワーク制御端末が干渉指示情報を受信した後、そのうちＣＳＩ  ＲＳポートの情報に基づいて干渉を発生させるビームを確定することができる。例えば、ビームｂによって使用されるポートはそれぞれ１５、１６、１７、１８であり、信号Ｃによって表わされるポート番号が０００１である場合、ポート１５は干渉を発生させるＣＳＩ  ＲＳポートであることを示す。相応的に、ビームｂは干渉を発生させるビームであると確定される。
【００４５】
例示的に、干渉を低減又は除去するために、隣接するネットワーク制御端末は当該干渉を発生させるビームをビームフォーミングＣＳＩ  ＲＳから非プリコード（ｎｏｎ-ｐｒｅｃｏｄｅｄ）ＣＳＩ  ＲＳに切り替えるか又は当該ネットワーク制御端末と共に当該ビームを時分割多重することができる。
【００４６】
生成ユニット１０４は、１つのネットワークノードの測定結果を受信するごとに、１つの干渉指示情報を生成するように配置されてもよいし、一定の時間内に受信された測定結果を統合して１つの干渉指示情報を生成してもよい。後者の場合に、例えば、一定の時間内に受信された同じ隣接するネットワーク制御端末の同じＣＳＩ  ＲＳポートに対するすべての測定結果に対して１つの干渉指示情報を生成してもよく、又は、一定の時間内に受信された同じ隣接するネットワーク制御端末の同じＣＳＩ  ＲＳポートに対する測定結果の数が所定数を超えた場合のみに、対応する１つの干渉指示情報を生成してもよい。具体的な生成方法は実際の応用のシーン及び要求に応じて確定することができる。
【００４７】
なお、生成ユニット１０４はさらに、生成ユニット１０４が干渉指示情報を生成した後、第１の所定の時間内に受信ユニット１０３が隣接するネットワーク制御端末からの第１の指示情報を受信していない場合、干渉指示情報を、任意のＣＳＩ  ＲＳポートが含まれない形態に変更して、隣接するネットワーク制御端末に指示するように配置される。
【００４８】
即ち、第１の所定の時間内に第１の指示情報が受信されなければ、当該時間内に相互干渉が存在しないことを示し、干渉指示情報は空に設置されることができ、このようにして、隣接するネットワーク制御端末は、新しい干渉情報を受信した後、以前に動作したビームの通常の使用を復元し、例えば、ビームフォーミングＣＳＩ  ＲＳに切り替えるか又は時分割多重を停止する。生成ユニット１０４は、隣接するネットワーク制御端末がビームの通常の使用を復元することを指示するために、他の形態の信号を生成してもよいことを理解されたい。
【００４９】
本実施例による電子装置１００は、ネットワークノードによる特定のＣＳＩ  ＲＳポートのＲＳＲＰの測定結果によって、ネットワークノードと干渉する隣接するネットワーク制御端末及びそのＣＳＩ  ＲＳポートを確定することができ、ネットワーク制御端末のサービスエリアの間の干渉を低減するのに役立つ。
【００５０】
＜第２の実施例＞
【００５１】
図５は、本出願の別の実施例によるネットワーク制御端末に用いられる電子装置２００の機能ブロック図を示し、図５に示すように、電子装置２００は、当該ネットワーク制御端末によってサービスされるネットワークノードからネットワークノードによる当該ネットワーク制御端末によって使用されるＣＳＩ  ＲＳポートのＲＳＲＰの測定結果を取得するように配置される取得ユニット２０１と、測定結果に基づいて、当該ネットワーク制御端末によって使用されるＣＳＩ  ＲＳポートの干渉状態を指示する第１の指示情報を生成するように配置される生成ユニット２０２とを含む。
【００５２】
その中、取得ユニット２０１と生成ユニット２０２は例えば、チップとして実施することができる１つ以上の処理回路によって実現することができる。
【００５３】
ネットワークノードは、特定条件が満たされる場合に当該ネットワーク制御端末によって使用されるＣＳＩ  ＲＳポートのＲＳＲＰを測定し、測定結果を当該ネットワーク制御端末に提供する。当該特定条件は例えば、ネットワークノードのＱｏＳが所定のレベル以下まで低下されることである。
【００５４】
上記のように、当該ネットワーク制御端末によって使用されるＣＳＩ  ＲＳポートはＮＺＰ  ＣＳＩ  ＲＳである。ネットワークノードによって測定されたＲＳＲＰが低すぎ、例例えば第１の所定の閾値よりも低い場合、当該ＣＳＩ  ＲＳポートに対するビームは他のネットワーク制御端末のネットワークノードによって受信される、即ち、他のネットワーク制御端末のネットワークノードと干渉する可能性があることを示し、その中、第１の所定の閾値はネットワーク制御端末の送信電力に従って設置されてもよい。そのため、一例では、ネットワークノードは、当該ＣＳＩ  ＲＳポートの情報を測定結果としてネットワーク制御端末に送信することができる。
【００５５】
例えば、ネットワークノードは上記ＣＳＩ  ＲＳポートの情報をビットシーケンス又はビットマップによって表されることができる。具体的に、ＲＳＲＰが第１の所定の閾値よりも低いＣＳＩ  ＲＳポートに対応するビットを０に設置し、残りのビットを１に設置することができる。
【００５６】
取得ユニット２０１が上記のＣＳＩ  ＲＳポートの情報が含まれた測定結果を取得した後、ユニット２０２は、相応的に、第１の指示情報を生成し、当該第１の指示情報は当該ネットワーク制御端末によって使用されるＣＳＩ  ＲＳポートの干渉状態を指示し、例えば、隣接するネットワーク制御端末のネットワークノードと干渉するビームが対応するＣＳＩ  ＲＳポートの情報を確定する。当該第１の指示情報は、干渉を的確に引き起こしたかどうかを確定するように、隣接するネットワーク制御端末によるＣＳＩ  ＲＳポートのＲＳＲＰの測定を指示するためのものである。
【００５７】
取得ユニット２０１は各ネットワークノードの測定結果に基づいて第１の指示情報を生成してもよいし、所定数以上のネットワークノードの測定結果が一致している場合のみに、第１の指示情報を生成してもよい。
【００５８】
相応的に、図６に示すように、電子装置２００は、ネットワークノードから測定結果を受信し、及び隣接するネットワーク制御端末に第１の指示情報を送信するように配置されているトランシーバユニット２０３をさらに含んでもよい。当該第１の指示情報は例えば、ネットワーク制御端末によって使用されるＣＳＩ  ＲＳポートのうち対応するＲＳＲＰが第１の所定の閾値よりも低いＣＳＩ  ＲＳポートの情報を含むことができる。また、当該第１の指示情報はこれらのＣＳＩ  ＲＳポートとビームとの対応関係が含まれてもよい。
【００５９】
隣接するネットワーク制御端末が第１の指示情報を受信した後、そのうち干渉状態情報に基づいて、サービスされるネットワークノードに、対応するＣＳＩ  ＲＳポートのＲＳＲＰを測定するように指示することで、例えば、測定結果に基づいて、どれらのＣＳＩ  ＲＳポートが確かに干渉されることを確定することができる。例えば、第１の実施例で説明した判断方式、即ち、測定されるＲＳＲＰが第２の所定の閾値よりも高いＣＳＩ  ＲＳポートは干渉されたＣＳＩ  ＲＳポートであるとすることができる。続いて、隣接するネットワーク制御端末は、干渉指示情報に干渉されたＣＳＩ  ＲＳポートの情報を含めて当該ネットワーク制御端末に提供する。
【００６０】
相応的に、トランシーバユニット２０３は、隣接するネットワーク制御端末から、当該ネットワーク制御端末のＣＳＩ  ＲＳポートのうち隣接するネットワーク制御端末によってサービスされるネットワークノードと干渉するＣＳＩ  ＲＳポートを指示する干渉指示情報を受信するように配置されてもよい。第１の実施例と同様に、干渉指示情報は例えば、信号Ｃによって表されることができ、信号Ｃは対応するＣＳＩ  ＲＳポートのポート番号である。
【００６１】
図６の破線のボックスに示すように、電子装置２００は、干渉指示情報に基づいて、隣接するネットワーク制御端末によってサービスされるネットワークノードと干渉する干渉ビームを確定するように配置される確定ユニット２０４をさらに含んでもよい。具体的に、確定ユニット２０４は、当該ネットワーク制御端末のＣＳＩ  ＲＳポートとビームとの間の対応関係に基づいて、干渉指示情報に含まれたＣＳＩ  ＲＳポートに対応するビームを干渉ビームとして確定することができる。
【００６２】
例えば、ビームｂによって使用されるポートはそれぞれ１５、１６、１７、１８であると仮定すると、干渉指示情報がポート１５が干渉を発生させるＣＳＩ  ＲＳポートであることを示す場合、相応的に、ビームｂは、干渉を発生させるビームであると確定される。
【００６３】
また、確定ユニット２０４は、確定された干渉ビームをビームフォーミングＣＳＩ  ＲＳから非プリコードＣＳＩ  ＲＳに切り替えるか、隣接するネットワーク制御端末と共に当該干渉ビームを時分割多重するように配置されてもよい。このような処理を実行することによって、隣接するネットワーク制御端末のネットワークノードに対する干渉を効果的に低減して、全体の通信品質を向上させることができる。
【００６４】
一例では、確定ユニット２０４は、第２の所定の時間内に所定数以上の同じ干渉ビームに対する干渉指示情報が受信された場合、上記の切り替え処理又は時分割多重処理を実行するように配置されてもよい。例えば、ビームｂによって使用されるポートはそれぞれ１５、１６、１７、１８であり、所定数は２であると仮定すると、２つの隣接するネットワーク制御端末からそれぞれポート１５とポート１６を指示する干渉指示情報を受信したか、又は１つの隣接するネットワーク制御端末からポート１５を指示する２つの干渉指示情報を受信すれば、これらの２つの干渉指示情報に対して、いずれも相応的に干渉ビームをビームｂであると確定するため、上記の条件を満たし、切り替え処理又は時分割多重処理を実行する。
【００６５】
このような場合に、当該ネットワーク制御端末のあるビームは、複数の隣接するネットワーク制御端末と干渉し、及び／又は、１つの隣接するネットワーク制御端末によってサービスされる複数のネットワークノードと干渉し、即ち、当該干渉ビームの影響が大きく、このような干渉ビームのみに対して処理を実行することは、不要な頻繁な切り替えを回避することができ、システムを安定して効率的に保つのに有益である。
【００６６】
また、確定ユニット２０４は、隣接するネットワーク制御端末からの、任意のＣＳＩ  ＲＳポートが含まれない干渉指示情報に応答して、干渉ビームを非プリコードＣＳＩ  ＲＳからビームフォーミングＣＳＩ  ＲＳに切り替えるか、又は、干渉ビームを時分割多重することを停止するように配置されてもよい。その中、任意のＣＳＩ  ＲＳポートが含まれない干渉指示情報は、干渉状况がもはや存在しないことを指示し、そのため、当該ネットワーク制御端末は、干渉ビームの通常の使用を復元することができる。
【００６７】
なお、本実施例の電子装置２００は、第１の実施例における電子装置１００と組み合わせてネットワーク制御端末に用いることもできるし、単独で使用することもでき、これは限定されるものではない。
【００６８】
本実施例による電子装置２００は、隣接するネットワーク制御端末にＣＳＩ  ＲＳポートの干渉状態を提供し、隣接するネットワーク制御端末からの干渉指示情報に応じて対応する動作を実行して隣接するネットワーク制御端末のネットワークノードに対する当該ネットワーク制御端末の干渉を回避又は低減することができる。
【００６９】
＜第３の実施例＞
【００７０】
図７は本出願の一実施例によるネットワークノードに用いられる電子装置３００の機能ブロック図を示し、当該電子装置３００は、ネットワークノードのサービス品質を評価するように配置される評価ユニット３０１と、サービス品質が所定のレベルよりも低い場合、ネットワークノードによって使用されるＣＳＩ  ＲＳポートのＲＳＲＰを測定するように配置される測定ユニット３０２と、測定した結果に基づいてＣＳＩ  ＲＳポートの干渉状態を指示する情報を生成するように配置される生成ユニット３０３とを含む。
【００７１】
その中、評価ユニット３０１、測定ユニット３０２、及び生成ユニット３０３は例えば、チップとして実施することができる１つ以上の処理回路によって実現することができる。
【００７２】
また、図７の破線のボックスに示すように、電子装置３００は、生成されたＣＳＩ  ＲＳポートの干渉状態を指示する情報をネットワーク制御端末に送信するように配置されるトランシーバユニット３０４をさらに含んでもよい。
【００７３】
評価ユニット３０１は例えば、各種の方式によってネットワークノードのＱｏＳを評価することができる。ＱｏＳが所定のレベルよりも低い場合に、ネットワーク制御端末のサービスエリアの間の干渉が発生している可能性があることを示す。そのため、測定ユニット３０２はネットワークノードによって使用されるＣＳＩ  ＲＳポートのＲＳＲＰを測定する。例えば、あるＣＳＩ  ＲＳポートのＲＳＲＰの測定結果が第１の所定の閾値よりも低い場合、当該ＣＳＩ  ＲＳポートに対応するビームが他の隣接するネットワーク制御端末のネットワークノードと干渉する可能性があるとみなされる。相応的に、生成ユニット３０３は、当該ＣＳＩ  ＲＳポートの干渉状態を指示する情報を生成することができる。例えば、当該情報は、測定されるＲＳＲＰが第１の所定の閾値よりも小さいＣＳＩ  ＲＳポートを指示する情報を含むことができる。
【００７４】
一例では、当該情報はビットシーケンス又はビットマップの形態を有することができ、その中、測定されるＲＳＲＰが第１の所定の閾値よりも小さいＣＳＩ  ＲＳポートに対応するビットは０であり、残りのＣＳＩ  ＲＳポートに対応するビットは１である。
【００７５】
以上の記述から分かるように、ＣＳＩ  ＲＳポートの干渉状態を指示する情報の生成及びレポートはトリガーされるものであり、即ち、ＱｏＳの低下に基づいてトリガーされる。ネットワーク制御端末はレポートされた当該情報を受信した後、当該情報に基づいて、当該ネットワーク制御端末によって使用されるＣＳＩ  ＲＳポートの干渉状態を指示するための第１の指示情報を生成する。当該第１の指示情報は、それに含まれたＣＳＩ  ＲＳポートに対してＲＳＲＰ測定を行うように、他の隣接するネットワーク制御端末に提供されることができる。
【００７６】
相応的に、当該ネットワーク制御端末は隣接するネットワーク制御端末によって送信される第１の指示情報を受信することができる。測定ユニット３０２は、ネットワーク制御端末が隣接するネットワーク制御端末からの第１の指示情報に基づいて確定した測定されるＣＳＩ  ＲＳポートのＲＳＲＰを測定し、測定した結果をネットワーク制御端末にレポートするように配置されてもよく、第１の指示情報は、対応する隣接するネットワーク制御端末によって使用されるＣＳＩ  ＲＳポートの干渉状態を指示する。
【００７７】
例えば、第１の指示情報は、隣接するネットワーク制御端末のＣＳＩ  ＲＳポートのうち対応するＲＳＲＰが第１の所定の閾値よりも低いＣＳＩ  ＲＳポートの情報を含み、測定ユニット３０２はこれらのＣＳＩ  ＲＳポートに対してＲＳＲＰの測定を行う。
【００７８】
測定ユニット３０２は、測定されるＲＳＲＰが第２の所定の閾値よりも大きいＣＳＩ  ＲＳポートの少なくとも一部のポート番号の情報をネットワーク制御端末にレポートすることができる。ネットワークノードについて、隣接するネットワーク制御端末によって使用されるＣＳＩ  ＲＳポートはＺＰ  ＣＳＩ  ＲＳポートであり、そのため、測定されたＲＳＲＰが大きい（例えば、第２の所定の閾値よりも大きい）場合、隣接するネットワーク制御端末からのビームの影響を受けたことを示す。測定ユニット３０２は、ネットワーク制御端末が当該ＣＳＩ  ＲＳポートに対応するビームに干渉を発生させることを対応する隣接するネットワーク制御端末に通知することができるように、このようなＣＳＩ  ＲＳポートのポート番号をネットワーク制御端末にレポートすることができる。
【００７９】
一例では、測定ユニット３０２は、測定されるＲＳＲＰが第２の所定の閾値よりも大きいＣＳＩ  ＲＳポートのうちＲＳＲＰが最大のＣＳＩ  ＲＳポートのポート番号の情報をネットワーク制御端末にレポートすることができる。
【００８０】
当該実施例による電子装置３００は、サービス品質の低下に応答してＣＳＩ  ＲＳポートの干渉状態を確定し、干渉の存在の確定のための依拠を提供し、また、電子装置３００は他の隣接するネットワーク制御端末の特定ＣＳＩ  ＲＳポートを測定し、干渉を発生させる他の隣接するネットワーク制御端末及びそのＣＳＩ  ＲＳポートを確定することもでき、これにより、干渉を除去又は低減するのに役立つ。
【００８１】
理解の便宜上、図８はネットワーク制御端末とネットワークノードとの間の干渉回避又は低減に関する情報フローの例を示す。図８では、１つの干渉を発生させるネットワーク制御端末２（ＮＣ２）と１つの干渉されるネットワーク制御端末１（ＮＣ１）を例として示す。しかし、当該情報フローが複数のネットワーク制御端末の間に同時に実行されることができ、また、ネットワーク制御端末によってサービスされるネットワークノードが複数であってもよいことは理解すべきである。
【００８２】
図８に示すように、ＮＣ２のネットワークノード（Ｎ２）はそのＱｏＳを評価して、そのＱｏＳを所定のレベルと比較し、ＱｏＳが所定のレベルよりも低い場合、ＮＣ２とＮ２によって使用されるＣＳＩ  ＲＳポートのＲＳＲＰを測定し、それを第１の所定の閾値と比較する。その後、Ｎ２はＣＳＩ  ＲＳポートの干渉状態を指示するビットシーケンスをネットワーク制御端末に送信し、当該ビットシーケンスにおけるＲＳＲＰが第１の所定の閾値よりも低いＣＳＩ  ＲＳポートに対応するビットは０であり、残りのＣＳＩ  ＲＳポートに対応するビットは１である。ＮＣ２がＮ２のビットシーケンスのレポートを受信した後、第１の指示情報を生成し、当該第１の指示情報は、ビットが０であるＣＳＩ  ＲＳポートに対応する情報を含んでもよい。続いて、ＮＣ２は第１の指示情報を例えばＸ２インタフェースを介してＮＣ１に送信してもよい。ＮＣ１は当該第１の指示情報に基づいて、サービスされるＮ１によって測定されるＣＳＩ  ＲＳポートを確定しそれに指示を送信する。Ｎ１は、対応するＣＳＩ  ＲＳポートのＲＳＲＰを確定し、測定した結果を第２の所定の閾値と比較し、ＲＳＲＰが第２の所定の閾値よりも高いＣＳＩ  ＲＳポートのうちＲＳＲＰが最も高いＣＳＩ  ＲＳポートのポート番号をＮＣ１にレポートする。ＮＣ１は、相応的に、ＮＣ２に対する干渉指示情報を生成し、当該干渉指示情報にＣＳＩ  ＲＳポートのポート番号が含まれる。ＮＣ２は当該ポート番号に基づいて、干渉を発生させる干渉ビームを確定し、当該干渉ビームを非プリコードＣＳＩ  ＲＳに切り替えるか、又はＮＣ１と共に当該干渉ビームを時分割多重することで、干渉を除去又は低減することができる。
【００８３】
次に、Ｎ２はそのＱｏＳを継続的に評価し、所定の時間内にＱｏＳが所定のレベルよりも低いことが見つからない場合、ＮＣ２にビットシーケンスがレポートされることがなく、それに対して、ＮＣ２は新しい第１の指示情報を生成して送信しない。このような場合に、ＮＣ１は所定の時間内にＮＣ２からの新しい第１の指示情報が受信されず、干渉指示情報を任意のＣＳＩ  ＲＳポートの情報が含まれない形態に変更して当該変更された干渉指示情報をＮＣ２に送信する。ＮＣ２は、当該変更された干渉指示情報を受信した後、前述の干渉ビームをビームフォーミングＣＳＩ  ＲＳに切り替えるか、又は当該干渉ビームの時分割多重を停止する。
【００８４】
なお、ＮＣ１とＮＣ２は機能的に同等であり、即ち、ＮＣ１もＮＣ２の機能を実行することができ、ＮＣ２もＮＣ１の機能を実行することができる。同様に、Ｎ１とＮ２は機能的に同等であり、Ｎ１もＮ２の機能を実行することができ、Ｎ２もＮ１の機能を実行することができる。
【００８５】
図１のシーンと結合される場合、ＮＣ１は例えば、ＢＳ１であり、Ｎ１は例えば、ＵＥ１であり、ＮＣ２は例えば、ＢＳ２であり、Ｎ２は例えば、ＵＥ２である。しかし、本出願の実施例は図１のシーンに限定されるものではなく、利用可能な情報フローは、図8に示すものに限らず、実際の用途に応じて適宜変更可能であることは理解されるべきである。
【００８６】
＜第４の実施例＞
【００８７】
上記実施態様では電子装置について説明した過程では、いくつかの処理又は方法が明らかに開示されている。以下、これらの方法の概要については既に説明した事項の一部を繰り返すことなく説明するが、注意すべきことは、これらの方法は電子装置の説明に開示されるが、必ずしもこれらの構成要素を使用するか、又はこれらの構成要素によって実行するものではない。例えば、電子装置の実施態様は、ハードウェア及び／又はファームウェアによって部分的又は完全に実現されてもよく、以下に説明する方法は、電子装置のハードウェア及び／又はファームウェアを使用することができるが、コンピューター実行可能プログラムによって完全的に実現することもできる。
【００８８】
図９は、本出願の一実施例によるネットワーク制御端末に用いられる方法のフローチャートを示し、当該方法は、隣接するネットワーク制御端末からの第１の指示情報に基づいて、当該ネットワーク制御端末によってサービスされるネットワークノードによってそのＲＳＲＰが測定されるチャネル状態情報参照信号ＣＳＩ  ＲＳポートを確定し（Ｓ１１）、第１の指示情報は対応する隣接するネットワーク制御端末によって使用されるＣＳＩ  ＲＳポートの干渉状態を指示し、ネットワークノードからの測定結果に基づいて、ネットワークノードと干渉する隣接するネットワーク制御端末及びそのＣＳＩ  ＲＳポートを確定すること（Ｓ１２）を含む。
【００８９】
なお、図９の破線のボックスに示すように、上記方法は、隣接するネットワーク制御端末から第１の指示情報を受信するステップＳ１０を含んでもよく、例えば、Ｘ２インタフェースを介して第１の指示情報を受信することができる。
【００９０】
上記方法は、ネットワークノードと干渉するＣＳＩ  ＲＳポートを指示するための、ネットワークノードと干渉する隣接するネットワーク制御端末に対する干渉指示情報を生成するステップＳ１３をさらに含んでもよい。ステップＳ１４では、当該干渉指示情報を隣接するネットワーク制御端末に送信することができる。
【００９１】
一例では、第１の指示情報は、隣接するネットワーク制御端末によって使用されるＣＳＩ-ＲＳポートのうち対応するＲＳＲＰが第１の所定の閾値よりも低いＣＳＩ  ＲＳポートの情報を指示し、ステップＳ１１では、ＲＳＲＰが第１の所定の閾値よりも低い前記ＣＳＩ  ＲＳポートをネットワークノードによって測定されるＣＳＩ  ＲＳポートとして確定する。その中、第１の所定の閾値は隣接するネットワーク制御端末の送信電力に応じて設置されてもよい。
【００９２】
第１の指示情報は、ＲＳＲＰが第１の所定の閾値よりも低いＣＳＩ  ＲＳポートとビームとの対応関係の情報をさらに含んでもよい。上記の測定結果は測定されるＲＳＲＰが第２の所定の閾値よりも高いＣＳＩ  ＲＳポートの少なくとも一部のポート番号の情報を含んでもよい。
【００９３】
なお、図中に示されないが、当該方法は、ステップＳ１３では干渉指示情報を生成した後の第１の所定の時間内に隣接するネットワーク制御端末からの第１の指示情報が受信されない場合、干渉指示情報を、任意のＣＳＩ  ＲＳポートが含まれない形態に変更して、隣接するネットワーク制御端末に送信することをさらに含んでもよい。
【００９４】
図１０は、本出願の別の実施例によるネットワーク制御端末に用いられる方法のフローチャートを示し、当該方法は、当該ネットワーク制御端末によってサービスされるネットワークノードから、ネットワークノードによる当該ネットワーク制御端末によって使用されるＣＳＩ  ＲＳポートのＲＳＲＰの測定結果を取得し（Ｓ２０）、測定結果に基づいて、当該ネットワーク制御端末によって使用されるＣＳＩ  ＲＳポートの干渉状態を指示する第１の指示情報を生成すること（Ｓ２１）を含む。
【００９５】
一例では、ステップＳ２１では、所定数以上のネットワークノードの測定結果が一致している場合、第１の指示情報を生成することができる。
【００９６】
また、図１０の破線のボックスに示すように、上記の方法は、隣接するネットワーク制御端末に第１の指示情報を送信するステップＳ２２をさらに含んでもよい。
【００９７】
一例では、上記の方法は、隣接するネットワーク制御端末から干渉指示情報を受信し（Ｓ２３）、当該干渉指示情報は当該ネットワーク制御端末のＣＳＩ  ＲＳポートのうち隣接するネットワーク制御端末によってサービスされるネットワークノードと干渉するＣＳＩ  ＲＳポートを指示し、当該干渉指示情報に基づいて、隣接するネットワーク制御端末によってサービス的ネットワークノードされると干渉する干渉ビームを確定すること（Ｓ２４）を含んでもよい。
【００９８】
干渉ビームが確定された後、上記の方法は、確定された干渉ビームをビームフォーミングＣＳＩ  ＲＳから非プリコードＣＳＩ  ＲＳに切り替えるか、又は、隣接するネットワーク制御端末と共に干渉ビームを時分割多重するＳ２５をさらに含んでもよい。当該ステップＳ２５は、第２の所定の時間段内に所定数以上の同じ干渉ビームに対する干渉指示情報が受信された場合に実行される。
【００９９】
なお、図１０には示されていないが、上記の方法は、隣接するネットワーク制御端末からの、任意のＣＳＩ  ＲＳポートが含まれない干渉指示情報に基づいて、干渉ビームを非プリコードＣＳＩ  ＲＳからビームフォーミングＣＳＩ  ＲＳに切り替えるか、又は、干渉ビームを時分割多重することを停止することをさらに含んでもよい。
【０１００】
図１１は、本出願の一実施例によるネットワークノードに用いられる方法のフローチャートを示し、当該方法は、ネットワークノードのサービス品質を評価し（Ｓ３０）、サービス品質が所定のレベルよりも低い場合に、ネットワークノードによって使用されるＣＳＩ  ＲＳポートのＲＳＲＰを測定し（Ｓ３１）、測定した結果に基づいてＣＳＩ  ＲＳポートの干渉状態を指示する情報を生成する（Ｓ３２）ことを含む。
【０１０１】
例えば、上記の情報は、測定されたＲＳＲＰが第１の所定の閾値よりも小さいＣＳＩ  ＲＳポートを示す情報を含むことができる。上記の情報はビットシーケンス又はビットマップの形態であってもよく、その中、測定されたＲＳＲＰが第１の所定の閾値よりも小さいＣＳＩ  ＲＳポートに対応するビットは０であり、残りのＣＳＩ  ＲＳポートに対応するビットは１である。
【０１０２】
また、図１１の破線のボックスに示すように、上記の方法は、生成されたＣＳＩ  ＲＳポートの干渉状態を示す情報をネットワーク制御端末に送信するステップＳ３３をさらに含むことができる。
【０１０３】
図１１には示されていないが、上記の方法は、ネットワーク制御端末が隣接するネットワーク制御端末からの第１の指示情報に基づいて確定した測定するＣＳＩ  ＲＳポートのＲＳＲＰを測定し、測定された結果をネットワーク制御端末にレポートすることをさらに含んでもよく、その中、第１の指示情報は対応するネットワーク制御端末によって使用されるＣＳＩ  ＲＳポートの干渉状態を示す。例えば、測定されたＲＳＲＰが第２の所定の閾値よりも大きいＣＳＩ  ＲＳポートの少なくとも一部のポート番号の情報をネットワーク制御端末にレポートしてもよい。
【０１０４】
なお、上記の各方法は、組み合わせて用いてもよいし、単独で用いてもよく、その詳細については第１から第３の実施例で詳細に説明したので、ここでは繰り返さない。
【０１０５】
要約すると、本出願による電子装置及び方法によれば、ＣＳＩ  ＲＳポートのＲＳＲＰを測定することによって、隣接するネットワーク制御端末のサービスエリア間の干渉を発生させる状況を確定し、干渉を発生させるネットワーク制御端末及びそのＣＳＩ  ＲＳポートを見つけることで、干渉を効果的に除去又は緩和するための対策を取ることができる。
【０１０６】
＜適用例＞
【０１０７】
本開示の技術は各種の製品に適用することができる。以上で言及された基地局は、例えばマクロｅＮＢや小ｅＮＢなどの任意のタイプの進化ノードＢ（ｅＮＢ）として実現されることができる。小ｅＮＢは、例えばピコｅＮＢ、マイクロｅＮＢ、及び家庭(フェムト)ｅＮＢなどのマクロセルより小さいセルをカバーできるｅＮＢであってもよい。その代わりに、基地局は、例えばＮｏｄｅＢと基地局トランシーバ(ＢＴＳ)のような任意の他のタイプの基地局として実現されることができる。基地局は、無線通信を制御するように配置される主体(基地局装置とも呼ばれる)と、主体と異なるところに設けられる１つ又は複数のリモート無線ヘッド(ＲＲＨ)とを含むことができる。また、後述する様々なタイプのユーザー装置はいずれも、基地局機能を一時的又は半永久的に実行することによって、基地局として機能することができる。
【０１０８】
[基地局についての適用例]
【０１０９】
(第１の適用例)
【０１１０】
図１２は本開示の技術を適用できるｅＮＢの概略構成の第１の例を示すブロック図である。ｅＮＢ８００は１つ又は複数のアンテナ８１０及び基地局装置８２０を含む。基地局装置８２０と各アンテナ８１０はＲＦケーブルを介して接続されてもよい。
【０１１１】
アンテナ８１０のそれぞれは単一又は複数のアンテナ素子(例えば多入力多出力(ＭＩＭＯ)アンテナに含まれる複数アンテナ素子)を含み、基地局装置８２０の無線信号の送受信に使用される。１７に示すように、ｅＮＢ８００は複数のアンテナ８１０を含んでもよい。  例えば、複数アンテナ８１０はｅＮＢ８００に使用される複数の周波数領域と互換性があり得る。図１２に、ｅＮＢ８００が複数アンテナ８１０を含む例を示したが、ｅＮＢ８００は単一のアンテナ８１０を含んでもよい。
【０１１２】
基地局装置８２０は、コントローラ８２１、メモリ８２２、ネットワークインターフェース８２３及び無線通信インターフェース８２５を含む。
【０１１３】
コントローラ８２１は例えばＣＰＵ又はＤＳＰであり、且つ、基地局装置８２０の上位層の各種機能を動作させる。例えば、コントローラ８２１は無線通信インターフェース８２５によって処理された信号におけるデータに基づいてデータパケットを生成し、ネットワークインターフェース８２３を介して、生成されたパケットを伝送する。コントローラ８２１は複数のベースバンドプロセッサからのデータをバンドルして、バンドルパケットを生成し、生成されたバンドルパケットを伝送することができる。コントローラ８２１は以下のような制御を実行する論理機能を有してもよく、当該制御は例えば、無線リソース制御、無線ベアラ制御、移動管理、受付制御、スケジューリングなどである。当該制御は近くのｅＮＢ又はコアネットワークノードと結合して実行されることができる。メモリ８２２はＲＡＭとＲＯＭを含み、コントローラ８２１が実行するプログラム及び各種制御データ(例えば、端末リスト、送信パワーデータ及びスケジューリングデータ)が記憶される。
【０１１４】
ネットワークインターフェース８２３は基地局装置８２０をコアネットワーク８２４の通信インターフェースに接続するためのものである。コントローラ８２１はネットワークインターフェース８２３を介してコアネットワークノード又は別のｅＮＢと通信することができる。この場合、ｅＮＢ８００とコアネットワークノード又は他のｅＮＢとは論理インターフェース(例えばＳ１インターフェースとＸ２インターフェース)によって互いに接続される。ネットワークインターフェース８２３は有線通信インターフェース又は無線バックホール回線用の無線通信インターフェースであってもよい。ネットワークインターフェース８２３が無線通信インターフェースであれば、無線通信インターフェース８２５によって使用される周波数領域と比べると、ネットワークインターフェース８２３はより高い周波数領域を無線通信に使用することができる。
【０１１５】
無線通信インターフェース８２５は任意のセルラー通信方式(例えば、長期的な進化(ＬＴＥ)和ＬＴＥー先進)をサポートし、アンテナ８１０を介してｅＮＢ８００に位置するセルにおける端末への無線接続を提供する。無線通信インターフェース８２５は通常、例えばベースバンド(ＢＢ)プロセッサ８２６とＲＦ回路８２７を含むことができる。ＢＢプロセッサ８２６は例えば、符号化／復号化、変調／復調、多重化／多重化解除を実行すると共に、レイヤー(例えばＬ１、メディアアクセス制御(ＭＡＣ)、無線リンク制御(ＲＬＣ)、パケットデータアグリゲーションプロトコル(ＰＤＣＰ))の様々なタイプの信号処理を実行することができる。コントローラ８２１の代わりに、ＢＢプロセッサ８２６は上記した論理機能の一部又は全部を有してもよい。ＢＢプロセッサ８２６は通信制御プログラムが記憶されるメモリであってもよく、或いは、プログラムを実行するように配置されるプロセッサ及び関連する回路を含むモジュールであってもよい。プログラムの更新はＢＢプロセッサ８２６の機能を変更させることができる。当該モジュールは基地局装置８２０のスロットに挿入されるカード又はブレッドであってもよい。その代わりに、当該モジュールはカード又はブレッドに搭載されるチップであってもよい。同時に、ＲＦ回路８２７は、例えばミキサ、フィルタ、増幅器を含んで、アンテナ８１０を介して無線信号を送受信してもよい。
【０１１６】
図１２に示すように、無線通信インターフェース８２５は複数のＢＢプロセッサ８２６を含んでもよい。例えば、複数のＢＢプロセッサ８２６はｅＮＢ８００に使用される複数の周波数領域と互換性があり得る。図１２に示すように、無線通信インターフェース８２５は複数のＲＦ回路８２７を含んでもよい。例えば、複数のＲＦ回路８２７は複数のアンテナ素子と互換性があり得る。図１２には、無線通信インターフェース８２５が複数のＢＢプロセッサ８２６と複数のＲＦ回路８２７を含む例を示したが、無線通信インターフェース８２５は単一のＢＢプロセッサ８２６又は単一のＲＦ回路８２７を含んでもよい。
【０１１７】
図１２に示すｅＮＢ８００において、図３により説明されたトランシーバユニット１０３及び図６により説明されたトランシーバユニット２０３は無線通信インタフェース８２５によって実現することができる。機能の少なくとも一部はコントローラ８２１によって実現することもできる。例えば、コントローラ８２１は、第１の確定ユニット１０１、第２の確定ユニット１０２、生成ユニット１０４の機能を実行することによって、干渉を発生させる隣接するネットワーク制御端末及びそのＣＳＩ  ＲＳポートの確定と干渉指示情報の生成を実行することができ、及び／又は、取得ユニット２０１、生成ユニット２０２、確定ユニット２０４の機能を実行することによって、第１の指示情報の生成と干渉ビームの確定及び干渉の処理を実行することができる。
【０１１８】
(第２の適用例)
【０１１９】
図１３は本開示の技術を適用できるｅＮＢの概略構成の第２の例を示すブロック図である。ｅＮＢ８３０は１つ又は複数のアンテナ８４０と、基地局装置８５０と、ＲＲＨ８６０とを含む。ＲＲＨ８６０と各アンテナ８４０はＲＦケーブルを介して互いに接続することができる。基地局装置８５０とＲＲＨ８６０は光ファイバケーブルのような高速回線を介して互いに接続することができる。
【０１２０】
アンテナ８４０のそれぞれは単一又は複数のアンテナ素子(例えば、ＭＩＭＯアンテナに含まれた複数のアンテナ素子)を含み、ＲＲＨ８６０の無線信号の送受信に使用される。図１３に示すように、ｅＮＢ８３０は複数のアンテナ８４０を含んでもよい。例えば、複数のアンテナ８４０はｅＮＢ８３０によって使用される複数の周波数領域と互換性があり得る。図１９に、ｅＮＢ８３０に複数のアンテナ８４０が含まれる例を示したが、ｅＮＢ８３０は単一のアンテナ８４０を含んでもよい。
【０１２１】
基地局装置８５０は、コントローラ８５１と、メモリ８５２と、ネットワークインターフェース８５３と、無線通信インターフェース８５５と、接続インターフェース８５７とを含む。コントローラ８５１、メモリ８５２、及びネットワークインターフェース８５３は図２４を参照して説明したコントローラ８２１、メモリ８２２、ネットワークインターフェース８２３と同様である。
【０１２２】
無線通信インターフェース８５５は任意のセルラー通信方式(例えばＬＴＥとＬＴＥー先進)をサポートし、ＲＲＨ８６０とアンテナ８４０を介してＲＲＨ８６０に対応するセクタに位置する端末への無線通信を提供する。無線通信インターフェース８５５は通常、例えばＢＢプロセッサ８５６を含んでもよい。ＢＢプロセッサ８５６が接続インターフェース８５７を介してＲＲＨ８６０のＲＦ回路８６４に接続する以外、ＢＢプロセッサ８５６は図１３を参照して説明したＢＢプロセッサ８２６と同様である。図１３に示すように、無線通信インターフェース８５５は複数のＢＢプロセッサ８５６を含んでもよい。例えば、複数のＢＢプロセッサ８５６はｅＮＢ８３０に使用される複数の周波数領域と互換性があり得る。図１３に、無線通信インターフェース８５５に複数のＢＢプロセッサ８５６が含まれる例を示したが、無線通信インターフェース８５５は単一のＢＢプロセッサ８５６を含んでもよい。
【０１２３】
接続インターフェース８５７は基地局装置８５０(無線通信インターフェース８５５)をＲＲＨ８６０に接続するためのインターフェースである。接続インターフェース８５７は基地局装置８５０(無線通信インターフェース８５５)をＲＲＨ８６０に接続する上記した高速回線における通信のための通信モジュールであってもよい。
【０１２４】
ＲＲＨ８６０は接続インターフェース８６１と無線通信インターフェース８６３を含む。
【０１２５】
接続インターフェース８６１はＲＲＨ８６０(無線通信インターフェース８６３)を基地局装置８５０に接続するためのインターフェースである。接続インターフェース８６１は上記した高速回線における通信のための通信モジュールであってもよい。
【０１２６】
無線通信インターフェース８６３はアンテナ８４０を介して無線信号を送受信する。無線通信インターフェース８６３は通常、例えばＲＦ回路８６４を含んでもよい。ＲＦ回路８６４は例えばミキサ、フィルタ、増幅器を含んで、アンテナ８４０を介して無線信号を送受信してもよい。図１３に示すように、無線通信インターフェース８６３は複数のＲＦ回路８６４を含んでもよい。例えば、複数のＲＦ回路８６４は複数のアンテナ素子をサポートすることができる。図１３に、無線通信インターフェース８６３に複数のＲＦ回路８６４が含まれる例を示したが、無線通信インターフェース８６３は単一のＲＦ回路８６４を含んでもよい。
【０１２７】
図１３に示すｅＮＢ８３０において、図３により説明されたトランシーバユニット１０３及び図６により説明されたトランシーバユニット２０３は無線通信インタフェース８５５及び／又は無線通信インタフェース８６３によって実現することができる。機能の少なくとも一部はコントローラ８５１によって実現することもできる。例えば、コントローラ８５１は第１の確定ユニット１０１、第２の確定ユニット１０２、生成ユニット１０４の機能を実行することによって、干渉を発生させる隣接するネットワーク制御端末及びそのＣＳＩ  ＲＳポートの確定と干渉指示情報の生成を実行することができ、及び／又は、取得ユニット２０１、生成ユニット２０２、確定ユニット２０４の機能を実行することによって、第１の指示情報の生成と干渉ビームの確定及び干渉の処理を実行することができる。
【０１２８】
[ユーザー装置についての適用例]
【０１２９】
(第１の適用例)
【０１３０】
図１４は本開示の技術を適用できるスマートフォン９００の概略構成の例を示すブロック図である。スマートフォン９００はプロセッサ９０１、メモリ９０２、記憶装置９０３、外部接続インターフェース９０４、撮影装置９０６、センサ９０７、マイク９０８、入力装置９０９、表示装置９１０、スピーカ９１１、無線通信インターフェース９１２、１つ又は複数のアンテナスイッチ９１５、１つ又は複数のアンテナ９１６、バス９１７、バッテリー９１８及び補助コントローラ９１９を含む。
【０１３１】
プロセッサ９０１は例えばＣＰＵ又はシステムオンチップ(ＳｏＣ)であり、スマートフォン９００のアプリケーション層と他の層の機能を制御することができる。メモリ９０２はＲＡＭとＲＯＭを含み、データとプロセッサ９０１によって実行されるプログラムが記憶される。記憶装置９０３は例えば半導体メモリとハードディスクのような記憶媒体を含むことができる。外部接続インターフェース９０４は外部装置(例えばメモリカードとユニバーサルシリアルバス(ＵＳＢ)装置)をスマートフォン９００に接続するためのインターフェースである。
【０１３２】
撮影装置９０６はイメージセンサー(例えば電荷結合デバイス(ＣＣＤ)と相補型金属酸化物半導体(ＣＭＯＳ))を含み、撮影した画像を生成する。センサー９０７は例えば測定センサー、ジャイロセンサ、地磁気センサ及び加速度センサのような１組みのセンサーを含んでもよい。マイク９０８はスマートフォン９００に入力された音をオーディオ信号に変換する。入力装置９０９は例えば表示装置９１０のスクリーンでのタッチを検出するように配置されるタッチセンサー、キーパッド、キーボード、ボタンやスイッチを含み、ユーザーから入力された動作又は情報を受信する。表示装置９１０はスクリーン(例えば液晶ディスプレイ(ＬＣＤ)と有機発光ダイオード(ＯＬＥＤ)ディスプレイ)を含み、スマートフォン９００の出力画像を表示する。スピーカ９１１はスマートフォン９００から出力したオーディオ信号を音に変換する。
【０１３３】
無線通信インターフェース９１２は任意のセルラー通信方式(例えば、ＬＴＥとＬＴＥ-先進)をサポートし、無線通信を実行する。無線通信インターフェース９１２は通常、例えばＢＢプロセッサ９１３とＲＦ回路９１４を含むことができる。ＢＢプロセッサ９１３は例えば、符号化／復号化、変調／復調、多重化／多重化解除を実行すると共に、無線通信のための様々なタイプの信号処理を実行することができる。同時に、ＲＦ回路９１４は例えばミキサ、フィルタ、増幅器を含んで、アンテナ９１６を介して無線信号を送受信することができる。なお、同図に、１つのＲＦリンクが１つのアンテナに接続されたことを示したが、これは単なる例示であり、１つのＲＦリンクが複数の移相器を介して複数のアンテナに接続されることも含む。無線通信インターフェース９１２はその上にＢＢプロセッサ９１３とＲＦ回路９１４が集積化される１つのチップモジュールであってもよい。図１４に示すように、無線通信インターフェース９１２は複数のＢＢプロセッサ９１３と複数のＲＦ回路９１４を含んでもよい。図１４に、無線通信インターフェース９１２に複数のＢＢプロセッサ９１３と複数のＲＦ回路９１４が含まれる例を示したが、無線通信インターフェース９１２は単一のＢＢプロセッサ９１３又は単一のＲＦ回路９１４を含んでもよい。
【０１３４】
なお、セルラー通信方式の以外、無線通信インターフェース９１２は、例えば短距離無線通信方式、近接通信方式や無線ローカルネットワーク(ＬＡＮ)方式などの別のタイプの無線通信方式をサポートすることができる。この場合、無線通信インターフェース９１２は各種の無線通信方式に対するＢＢプロセッサ９１３とＲＦ回路９１４を含んでもよい。
【０１３５】
アンテナスイッチ９１５のそれぞれは無線通信インターフェース９１２に含まれる複数の回路(例えば異なる無線通信方式に使用される回路)間でアンテナ９１６の接続先を切り替える。
【０１３６】
アンテナ９１６のそれぞれは単一又は複数のアンテナ素子(例えばＭＩＭＯアンテナに含まれた複数のアンテナ素子)を含み、無線通信インターフェース９１２の無線信号の送受信に使用される。図１４に示すように、スマートフォン９００は複数のアンテナ９１６を含んでもよい。図１４に、スマートフォン９００に複数のアンテナ９１６が含まれる例を示したが、スマートフォン９００は単一のアンテナ９１６を含んでもよい。
【０１３７】
なお、スマートフォン９００は各種の無線通信方式に対するアンテナ９１６を含んでもよい。この場合に、アンテナスイッチ９１５はスマートフォン９００の配置から省略されてもよい。
【０１３８】
バス９１７はプロセッサ９０１、メモリ９０２、記憶装置９０３、外部接続インターフェース９０４、撮像装置９０６、センサー９０７、マイク９０８、入力装置９０９、表示装置９１０、スピーカ９１１、無線通信インターフェース９１２及び補助コントローラ９１９を互いに接続する。バッテリー９１８は給電線によって図１４に示すスマートフォン９００の各ブロックに電力を供給し、給電線は図面において部分的に点線によって表される。補助コントローラ９１９は例えばスリープモードでスマートフォン９００の最少の必要な機能を操作する。
【０１３９】
図１４に示すスマートフォン９００では、図７により説明されたトランシーバユニット３０４は無線通信インタフェース９１２によって実現することができる。機能の少なくとも一部は、プロセッサ９０１又は補助コントローラ９１９によって実現することもできる。例えば、プロセッサ９０１又は補助コントローラ９１９は、評価ユニット３０１、測定ユニット３０２、及び生成ユニット３０３の機能を実行することによって、使用されるＣＳＩ  ＲＳポートの干渉状態を示す情報及びを生成して、隣接する基地局の第１の指示情報が示すＣＳＩ  ＲＳポートのＲＳＲＰを測定することができる。
【０１４０】
(第２の適用例)
【０１４１】
図１５は本開示の技術を適用できるカーナビゲーション装置９２０の概略構成の例を示すブロック図である。カーナビゲーション装置９２０はプロセッサ９２１、メモリ９２２、全球位置決めシステム(ＧＰＳ)モジュール９２４、センサ９２５、データインターフェース９２６、コンテンツプレーヤー９２７、記憶媒体インターフェース９２８、入力装置９２９、表示装置９３０、スピーカ９３１、無線通信インターフェース９３３、１つ又は複数のアンテナスイッチ９３６、１つ又は複数のアンテナ９３７及びバッテリー９３８を含む。
【０１４２】
プロセッサ９２１は例えばＣＰＵ又はＳｏＣであり、カーナビゲーション装置９２０のナビゲーション機能と他の機能を制御することができる。メモリ９２２はＲＡＭとＲＯＭを含み、データとプロセッサ９２１によって実行されるプログラムが記憶される。
【０１４３】
ＧＰＳモジュール９２４はＧＰＳ衛星から受信したＧＰＳ信号を使用してカーナビゲーション装置９２０の位置(例えば、緯度、経度、高度)を測定する。センサー９２５は例えばジャイロセンサ、地磁気センサ及び気圧センサのような１組みのセンサーを含んでもよい。データインターフェース９２６は図示しない端末を介して例えば車のネットワーク９４１に接続され、車両が生成したデータ(例えば、車速データ)を取得する。
【０１４４】
コンテンツプレーヤー９２７は記憶媒介(例えば、ＣＤとＤＶＤ)に記憶されたコンテンツを再生して、当該記憶媒介は記憶媒介インターフェース９２８に挿入される。入力装置９２９は例えば表示装置９３０のスクリーンでのタッチを検出するように配置されるタッチセンサー、ボタン又はスイッチを含み、ユーザーから入力された動作又は情報を受信する。表示装置９３０は例えばＬＣＤやＯＬＥＤディスプレイのスクリーンを含み、ナビゲーション機能の画像又は再生されたコンテンツを表示する。スピーカ９３１はナビゲーション機能の音又は再生されたコンテンツを出力する。
【０１４５】
無線通信インターフェース９３３は任意のセルラー通信方式(例えば、ＬＴＥとＬＴＥ−先進)をサポートし、無線通信を実行することができる。無線通信インターフェース９３３は通常、例えばＢＢプロセッサ９３４とＲＦ回路９３５を含むことができる。ＢＢプロセッサ９３４は、例えば符号化／復号化、変調／復調、及び多重化／多重化解除を実行すると共に、無線通信に使用される様々なタイプの信号処理を実行することができる。同時に、ＲＦ回路９３５は例えばミキサ、フィルタ、増幅器を含み、アンテナ９３７を介して無線信号を送受信することができる。無線通信インターフェース９３３はその上にＢＢプロセッサ９３４とＲＦ回路９３５が集積化される１つのチップモジュールであってもよい。図１５に示すように、無線通信インターフェース９３３は複数のＢＢプロセッサ９３４と複数のＲＦ回路９３５を含んでもよい。図１５に、無線通信インターフェース９３３に複数のＢＢプロセッサ９３４と複数のＲＦ回路９３５が含まれる例を示したが、無線通信インターフェース９３３は単一のＢＢプロセッサ９３４又は単一のＲＦ回路９３５を含んでもよい。
【０１４６】
なお、セルラー通信方式の以外、無線通信インターフェース９３３は、例えば短距離無線通信方式、近接通信方式、及び無線ＬＡＮ方式のような別のタイプの無線通信方式をサポートすることができる。この場合、各種の無線通信方式に対して、無線通信インターフェース９３３はＢＢプロセッサ９３４とＲＦ回路９３５を含んでもよい。
【０１４７】
アンテナスイッチ９３６のそれぞれは無線通信インターフェース９３３に含まれる複数の回路(例えば、異なる無線通信方式に使用される回路)間でアンテナ９３７の接続先を切り替える。
【０１４８】
アンテナ９３７のそれぞれは単一又は複数のアンテナ素子(例えばＭＩＭＯアンテナに含まれる複数のアンテナ素子)を含み、無線通信インターフェース９３３の無線信号の送受信に使用される。図１５に示すように、カーナビゲーション装置９２０は複数のアンテナ９３７を含んでもよい。図１５に、カーナビゲーション装置９２０に複数のアンテナ９３７が含まれる例を示したが、カーナビゲーション装置９２０は単一のアンテナ９３７を含んでもよい。
【０１４９】
なお、カーナビゲーション装置９２０は各種の無線通信方式に対するアンテナ９３７を含んでもよい。この場合、アンテナスイッチ９３６はカーナビゲーション装置９２０の配置から省略されてもよい。
【０１５０】
バッテリー９３８は給電線によって図１５に示すカーナビゲーション装置９２０の各ブロックに電力を供給し、給電線は図面において部分的に点線によって表される。バッテリー９３８は車両から供給した電力を蓄積する。
【０１５１】
図１５に示すカーナビゲーション装置９２０では、図７により説明されたトランシーバユニット３０４は無線通信インタフェース９３３によって実現することができる。機能の少なくとも一部は、プロセッサ９２１によって実現することもできる。例えば、プロセッサ９２１は、評価ユニット３０１、測定ユニット３０２、及び生成ユニット３０３の機能を実行することによって、使用されるＣＳＩ  ＲＳポートの干渉状態を示す情報及びを生成して、隣接する基地局の第１の指示情報が示すＣＳＩ  ＲＳポートのＲＳＲＰを測定することができる。
【０１５２】
本開示の技術はカーナビゲーション装置９２０、車のネットワーク９４１及び車両モジュール９４２のうち１つ又は複数のブロックが含まれた車載システム(又は車両)９４０として実現されることができる。車両モジュール９４２は車両データ(例えば車速、エンジン速度、故障情報)を生成し、生成されたデータを車のネットワーク９４１に出力する。
【０１５３】
以上、本発明の基本的な原理について、具体的な実施例を結合して説明した。しかしながら、当業者であれば、本発明の方法及び装置の全て又は任意のステップや部材は、任意のコンピューティングデバイス（プロセッサ、メモリ媒体などを含む）又はコンピューティングデバイスにおいて、ハードウェア、ファームウェア、ソフトウェア、又はそれらの組み合わせの形態で実現できることは理解される。これは、当業者が本発明の説明を読む場合に、その基本的な回路設計知識又は基本的なプログラミングスキルを使用して実現され得るものである。
【０１５４】
そして、本発明は機械可読命令コードが記憶されたプログラム製品をさらに提供する。前記命令コードが機械によって読み取って実行される時に、上記した本発明実施例による方法を実行することができる。
【０１５５】
相応的に、上記した機械可読命令コードが記憶されたプログラム製品を担うための記憶媒体も本発明の開示に含まれた。上記した記憶媒体は、フロッピーディスク、光ディスク、光磁気ディスク、メモリカード、メモリスティックなどを含むが、これらに限定されない。
【０１５６】
ソフトウェア又はファームウェアによって本発明を実現する場合に、記憶媒体又はネットワークから専用のハードウェア構成を有するコンピューター(例えば、図１６に示す汎用コンピューター１６００)へ当該ソフトウェアを構成するプログラムをインストールして、当該コンピューターは各プログラムがインストールされる場合に、各種の機能などを実行することができる。
【０１５７】
図１６において、中央処理装置（ＣＰＵ）１６０１は、読み取り専用メモリ（ＲＯＭ）１６０２に記憶されたプログラム又は記憶部分１６０８からランダムアクセスメモリ（ＲＡＭ）１６０３にロードされたプログラムに従って各種の処理を実行する。ＲＡＭ１６０３において、必要に応じて、ＣＰＵが各種の処理などを実行する時に必要なデータも記憶される。ＣＰＵ１６０１、ＲＯＭ１６０２、及びＲＡＭ１６０３はバス１６０４によって互いに接続される。入力／出力インタフェース１６０５もバス１６０４に接続される。
【０１５８】
入力部分１６０６（キーボード、マウスなどを含む）、出力部分１６０７（例えば陰極線管（ＣＲＴ）、液晶ディスプレイ（ＬＣＤ）などのディスプレイ、及びスピーカなどを含む）、記憶部分１６０８（ハードウェアなどを含む）、通信部分１６０９（例えばＬＡＮカードやモデムなどのネットワークインターフェースカードを含む）が入力／出力インターフェース１６０５に接続された。通信部分１６０９は例えばインターネットなどのネットワークを介して通信処理を実行する。必要に応じて、ドライバー１６１０は入力／出力インタフェース１６０５に接続されてもよい。例えば磁気ディスク、光ディスク、光磁気ディスク、半導体メモリなどのリムーバブルメディア１６１１は、その中から読み出したコンピュータプログラムが必要に応じて記憶部１６０８にインストールされるように、必要に応じてドライバー１６１０に装着されている。
【０１５９】
ソフトウェアによって上記した一連の処理を実現する場合に、例えばインターネットであるネットワーク又は例えばリムーバブルメディア１６１１である記憶媒体から、ソフトウェアを構成するプログラムをインストールする。
【０１６０】
当業者が理解すべきことは、このような記憶媒体が図１６に示すような、その中にプログラムが記憶され、装置とは別途配布してユーザーにプログラムを提供するリムーバブルメディア１６１１に限定されない。リムーバブルメディア１６１１の例は、磁気ディスク（フロッピーディスク（登録商標）を含む）、光ディスク（光ディスク読み取り専用メモリ（ＣＤ-ＲＯＭ）とデジタル多用途ディスク（ＤＶＤ）を含む）、光磁気ディスク（ミニディスク（ＭＤ）（登録商標）を含む）、及び半導体メモリを含む。或いは、記憶媒体は、ＲＯＭ１６０２、記憶部分１６０８に含まれたハードウェアなどの、その中にプログラムが記憶され、これらが含まれた装置と一緒にユーザーに配布するものであってもよい。
【０１６１】
なお、本発明の装置、方法、及びシステムでは、各構成要素又は各ステップは分解及び／又は再結合することができるものである。これらの分解及び／又は再結合は本発明の均等の方案とみなすべきである。さらに、上記した一連の処理を実行するステップは当然、説明の順序に沿って時系列に実行することができるが、必ずしも時系列に実行される必要はない。いくつかのステップは並行的又は互いに独立して実行されてもよい。
【０１６２】
最後、説明する必要なことは、用語「包括」、「含む」又はそのいかなる他の変形は、非排他的な包含を含むことを意味することで、一連の要素を含むプロセス、方法、物品、又はデバイスは、それらの要素を含むだけではなく、明確に記載されていない他の要素をさらに含み、或いは、このようなプロセス、方法、物品、又はデバイスに固有する要素をさらに含む。また、より多い制限が存在しない場合、「...を一つ含む」という文によって限定される要素は、前記要素を含むプロセス、方法、物品又はデバイスに他の同じ要素がさらに含まれることを排除しない。
【０１６３】
以上、図面を結合して本開示の実施例について詳細に説明したが、上記した実施形態は本発明を説明するためのものであり、本発明を限定するものではないと理解すべきである。当業者にとって、本発明の精神及び範囲から逸脱することがなく、上記した実施形態に対して、様々な修正及び変更が可能である。そのため、本発明の範囲は添付した特許請求の範囲及びその等価物のみによって限定される。
【図１】
2020501388.tif 000007
【図２】
2020501388.tif 000008
【図３】
2020501388.tif 000009
【図４】
2020501388.tif 000010
【図５】
2020501388.tif 000011
【図６】
2020501388.tif 000012
【図７】
2020501388.tif 000013
【図８】
2020501388.tif 000014
【図９】
2020501388.tif 000015
【図１０】
2020501388.tif 000016
【図１１】
2020501388.tif 000017
【図１２】
2020501388.tif 000018
【図１３】
2020501388.tif 000019
【図１４】
2020501388.tif 000020
【図１５】
2020501388.tif 000021
【図１６】
2020501388.tif 000022
【国際調査報告】
2020501388.tif 000023
2020501388.tif 000024
2020501388.tif 000025
2020501388.tif 000026
2020501388.tif 000027